(57)【要約】【課題】メカニカルスプライスに光ファイバを容易に挿入することができるメカニカルスプライス用補助工具を提供する。【解決手段】メカニカルスプライスが載置されるメカニカルスプライス載置部４の上面４ａに、メカニカルスプライスを位置決めする第１位置決め凹部５と、第１位置決め凹部５に位置決めされたメカニカルスプライスの両端に位置する光ファイバ挿入口に光ファイバコードの光ファイバをガイドするガイド部６とを設けた。【選択図】図１
2010072479.tif 000002
【特許請求の範囲】
【請求項１】
メカニカルスプライスが載置されるメカニカルスプライス載置部と、
前記メカニカルスプライス載置部の上面に設けられ、前記メカニカルスプライスを位置決めする第１位置決め部と、
前記メカニカルスプライス載置部の上面に設けられ、前記第１位置決め部に位置決めされた前記メカニカルスプライスの両端に位置する光ファイバ挿入口に光ファイバコードの光ファイバをガイドするガイド部と
を備えていることを特徴とするメカニカルスプライス用補助工具。
【請求項２】
前記メカニカルスプライスが、２つの前記光ファイバコードが配置されるベースと、前記ベースの高さ方向に沿って移動可能に前記ベースの中央部に装着されたセンターカバーと、前記ベースにロックされるロック位置と前記ベースに仮止めされる仮止め位置との間で移動可能に前記ベースの両端部に装着され、前記ロック位置に移動したとき前記ベースに前記光ファイバコードを押し付ける２つのサイドカバーとを有し、
前記第１位置決め部に位置決めされた前記メカニカルスプライスの前記センターカバー及び前記２つのサイドカバーをそれぞれ個別に前記ベース部に押圧可能な３つの押圧片が、前記メカニカルスプライス載置部に設けられている
ことを特徴とする請求項１記載のメカニカルスプライス用補助工具。
【請求項３】
前記メカニカルスプライス載置部の上面に設けられ、前記メカニカルスプライスを位置決めする第２位置決め部と、
前記メカニカルスプライス載置部の上面に設けられ、前記第２位置決め部に位置決めされた前記メカニカルスプライスの前記サイドカバーの前記ベースに対するロック状態を解除するロック解除部と
を備えていることを特徴とする請求項１又は２記載のメカニカルスプライス用補助工具。
【請求項４】
前記第１、第２位置決め部がそれぞれ凹部であることを特徴とする請求項１〜３のいずれか１項記載のメカニカルスプライス用補助工具。
【請求項５】
前記ガイド部が、前記第１位置決め部に位置決めされた前記メカニカルスプライスの両端に位置する前記光ファイバ挿入口へ通じるＶ溝を有することを特徴とする請求項１〜４のいずれか１項記載のメカニカルスプライス用補助工具。
【請求項６】
前記ロック解除部が凸部であることを特徴とする請求項１〜５のいずれか１項記載のメカニカルスプライス用補助工具。
【発明の詳細な説明】
【技術分野】
【０００１】
この発明はメカニカルスプライスを使用し易くする補助工具に関する。
【背景技術】
【０００２】
従来、一対の把持枠とスプライスホルダーと楔片とを備えるメカニカルスプライス型コネクタ用光ファイバ接続治具が知られている（下記特許文献１参照）。
【０００３】
一対の把持枠は操作者の把持操作によって互いに接近する方向へ変位可能である。
【０００４】
スプライスホルダーは一対の把持枠間にメカニカルスプライス型コネクタのスプライス部材を位置決め固定する。
【０００５】
楔片はスプライスホルダーに固定されたスプライス部材の側面の楔挿入スリットに対向して設けられている。楔片は一対の把持枠の把持操作によって楔挿入スリットに嵌入し、光ファイバ保持溝を押し広げる。
【０００６】
メカニカルスプライス型コネクタ用光ファイバ接続治具を用いた光ファイバコードの接続作業は次の通りである。
【０００７】
まず、一対の把持枠間にメカニカルスプライス型コネクタ配置するとともに、スプライスホルダーによってスプライス部材を位置決めして固定する。
【０００８】
次に、一対の把持枠を把持操作して互いに接近させる。その結果、楔片はスプライスホルダーに固定されたスプライス部材の楔挿入スリットに嵌入し、光ファイバ保持溝を押し広げる。
【０００９】
その後、光ファイバ保持溝に光ファイバを挿入して、メカニカルスプライス型コネクタの光ファイバに突き当てる。
【００１０】
最後に、一対の把持枠に加えていた把持力を緩める。その結果、ばね部材のばね力によって一対の把持枠の間隔が広がり、楔片が楔挿入スリットから抜けて光ファイバ保持溝の間隔が狭まり、光ファイバが光ファイバ保持溝に保持される。
【特許文献１】特開２００３−３２２７６２号公報
【発明の開示】
【発明が解決しようとする課題】
【００１１】
上述の接続治具は、あくまでも光ファイバ保持溝を押し広げて光ファイバを挿入可能にするものであり、光ファイバ保持溝への光ファイバの挿入を容易にするものではない。
【００１２】
なぜなら、光ファイバ保持溝を上述の接続治具で押し広げたとしても、その光ファイバ保持溝の大きさは極めて小さいし、その光ファイバ保持溝に挿入される光ファイバは極めて細いため、光ファイバを光ファイバ保持溝に容易に挿入できないからである。
【００１３】
この発明はこのような事情に鑑みてなされたもので、その課題は、メカニカルスプライスに光ファイバを容易に挿入することができるメカニカルスプライス用補助工具を提供することである。
【課題を解決するための手段】
【００１４】
上述の課題を解決するため請求項１記載の発明のメカニカルスプライス用補助工具は、メカニカルスプライスが載置されるメカニカルスプライス載置部と、前記メカニカルスプライス載置部の上面に設けられ、前記メカニカルスプライスを位置決めする第１位置決め部と、前記メカニカルスプライス載置部の上面に設けられ、前記第１位置決め部に位置決めされた前記メカニカルスプライスの両端に位置する光ファイバ挿入口に光ファイバコードの光ファイバをガイドするガイド部とを備えていることを特徴とする。
【００１５】
光ファイバコードの光ファイバは、ガイド部によって、第１位置決め部に位置決めされたメカニカルスプライスの両端に位置する光ファイバ挿入口にガイドされる。
【００１６】
請求項２記載の発明は、請求項１記載のメカニカルスプライス用補助工具において、  前記メカニカルスプライスが、２つの前記光ファイバコードが配置されるベースと、前記ベースの高さ方向に沿って移動可能に前記ベースの中央部に装着されたセンターカバーと、前記ベースにロックされるロック位置と前記ベースに仮止めされる仮止め位置との間で移動可能に前記ベースの両端部に装着され、前記ロック位置に移動したとき前記ベースに前記光ファイバコードを押し付ける２つのサイドカバーとを有し、前記第１位置決め部に位置決めされた前記メカニカルスプライスの前記センターカバー及び前記２つのサイドカバーをそれぞれ個別に前記ベース部に押圧可能な３つの押圧片が、前記メカニカルスプライス載置部に設けられていることを特徴とする。
【００１７】
請求項３記載の発明は、請求項１又は２記載のメカニカルスプライス用補助工具において、前記メカニカルスプライス載置部の上面に設けられ、前記メカニカルスプライスを位置決めする第２位置決め部と、前記メカニカルスプライス載置部の上面に設けられ、前記第２位置決め部に位置決めされた前記メカニカルスプライスの前記サイドカバーの前記ベースに対するロック状態を解除するロック解除部とを備えていることを特徴とする。
【００１８】
請求項４記載の発明は、請求項１〜３のいずれか１項記載のメカニカルスプライス用補助工具において、前記第１、第２位置決め部がそれぞれ凹部であることを特徴とする。
【００１９】
請求項５記載の発明は、請求項１〜４のいずれか１項記載のメカニカルスプライス用補助工具において、前記ガイド部が、前記第１位置決め部に位置決めされた前記メカニカルスプライスの両端に位置する前記光ファイバ挿入口へ通じるＶ溝を有することを特徴とする。
【００２０】
請求項６記載の発明は、請求項１〜５のいずれか１項記載のメカニカルスプライス用補助工具において、前記ロック解除部が凸部であることを特徴とする。
【発明の効果】
【００２１】
この発明によれば、メカニカルスプライスに光ファイバを容易に挿入することができる。
【発明を実施するための最良の形態】
【００２２】
以下、この発明の実施の形態を図面に基づいて説明する。
【００２３】
図１はこの発明の一実施形態のメカニカルスプライス用補助工具のセンターカバー押圧片及びサイドカバー押圧片を開いた状態を示す斜視図、図２は図１に示すメカニカルスプライス用補助工具のセンターカバー押圧片及びサイドカバー押圧片を閉じた状態を示す斜視図、図３は図１に示すメカニカルスプライス用補助工具の平面図、図４は図３のIII−III線に沿う断面図、図５は図１に示すメカニカルスプライス用補助工具の側面図、図６は図３のVI−VI線に沿う端面図、図７は図３のVII−VII線に沿う断面図、図８は図６のＡ部の拡大図、図９は図７のＢ部の拡大図、図１０は図３のＸ−Ｘ線に沿う端面図、図１１は図３のＣ矢視図である。
【００２４】
メカニカルスプライス用補助工具は例えば本願出願人によって出願された特願２００８−０２７９７４号のメカニカルスプライス（以下、第１のメカニカルスプライスという）及び特願２００８−２３８３０７号のメカニカルスプライス（以下、第２のメカニカルスプライスという）を使用し易くするための補助工具である。
【００２５】
第１のメカニカルスプライスは、ベースとセンターカバーと２つのサイドカバーとを有する。ベースには２つの光ファイバコードが配置される。センターカバーはベースの高さ方向に沿って移動可能にベースの中央部に装着されている。サイドカバーはベースにロックされるロック位置とベースに仮止めされる仮止め位置との間で移動可能にベースの両端部に装着され、ロック位置に移動したときベースに光ファイバコードを押し付ける。
【００２６】
第２のメカニカルスプライスは第１のメカニカルスプライスと同様にベースとセンターカバーと２つのサイドカバーとを有する。
【００２７】
第１のメカニカルスプライスのセンターカバーはベースにロックされないのに対し、第２のメカニカルスプライスのセンターカバーはロック位置でベースにロックされ、仮止め位置でベースに仮止めされる。このロック位置と仮止め位置との間でセンターカバーは移動可能である。
【００２８】
また、第１のメカニカルスプライスのサイドカバーはベースの高さ方向に沿ってロック位置と仮止め位置との間で移動するのに対し、第２のメカニカルスプライスのサイドカバーはベースの高さ方向に対してやや傾いた方向に沿ってロック位置と仮止め位置との間で移動する。サイドカバーが仮止め位置からロック位置まで移動するとき、サイドカバーは一方の光ファイバコードを他方の光ファイバコード側へ送る。光ファイバコードとはコアとコアの外周面に形成されたクラッドとで構成される光ファイバを樹脂等で被覆したものをいう。
【００２９】
メカニカルスプライス用補助工具は図示しないメカニカルスプライスの両端に位置する光ファイバ挿入口への図示しない光ファイバコードの光ファイバの挿入を容易にするための工具である。
【００３０】
メカニカルスプライス用補助工具は合成樹脂で一体成型され、メカニカルスプライス載置部４と第１位置決め凹部（第１位置決め部）５と１対のガイド部６とセンターカバー押圧片（押圧片）８と２つのサイドカバー押圧片（押圧片）９とを備える。
【００３１】
メカニカルスプライス載置部４はほぼ板状であり、メカニカルスプライスが載置される。メカニカルスプライス載置部４の上面４ａの後縁部には段差面４ｂが形成されている。メカニカルスプライス載置部４の上面４ａの中央部には凹部４１が形成されている。凹部４１はほぼ球面状に凹んでいる。メカニカルスプライス載置部４の正面の中央部には３つの凹部４２，４３，４３が形成されている。凹部４２には爪４４が、凹部４３には爪４５がそれぞれ形成されている。
【００３２】
第１位置決め凹部５の平面形状は矩形である。第１位置決め凹部５はメカニカルスプライス載置部４の上面の中央部に形成され、凹部４１を２つに分断している。第１位置決め凹部５の底面の両端部にはそれぞれ第１、第２支持部５１，５２が形成されている（図４参照）。第１、第２支持部５１，５２は第１位置決め凹部５に位置決めされたメカニカルスプライスを支持する。
【００３３】
１対のガイド部６は第１位置決め凹部５を挟むように、第１位置決め凹部５の長手方向の両端部の近傍に形成されている。ガイド部６はほぼ角柱状であり、その長手方向は第１位置決め凹部５の長手方向と平行である。ガイド部６の上面にはＶ溝６１が形成されている。
【００３４】
センターカバー押圧片８は押圧部８１とヒンジ部８２と係合部８３とを有する。押圧部８１はほぼ板状である。ヒンジ部８２は押圧部８１をメカニカルスプライス載置部４に連結する。ヒンジ部８２は揺動可能である。押圧部８１はヒンジ部８２を中心にして回転可能である。係合部８３はほぼ板状であり、押圧部８１の先端に連なる。係合部８３は押圧部８１に対してほぼ直角に延びている。係合部８３には矩形の係合孔８３ａが形成されている。係合孔８３ａは押圧部８１がメカニカルスプライス載置部４の上面４ａ近くまで回転したときに爪４４を受け容れる。係合部８３の係合孔８３ａの周縁部に爪４４が係合すると、センターカバー押圧部８は押圧部８１が第１位置決め凹部５に位置決めされたメカニカルスプライスのセンターカバーを押圧した状態でメカニカルスプライス載置部４にロックされる。
【００３５】
２つのサイドカバー押圧片９はセンターカバー押圧片８を挟むように配置されている。サイドカバー押圧片９は押圧部９１とヒンジ部９２と係合部９３とを有する。押圧部９１はほぼ板状である。押圧部９１の中央部には凹部９１ａが形成されている。ヒンジ部９２は押圧部９１をメカニカルスプライス載置部４に連結する。ヒンジ部９２は揺動可能である。押圧部９１はヒンジ部９２を中心にして回転可能である。係合部９３はほぼ板状であり、押圧部９１の先端に連なる。係合部９３は押圧部９１に対してほぼ直角に延びている。係合部９３には矩形の係合孔９３ａが形成されている。係合孔９３ａは押圧部９１がメカニカルスプライス載置部４の上面４ａ近くまで回転したときに爪４５を受け容れる。係合部９３の係合孔９３ａの周縁部に爪４５が係合すると、サイドカバー押圧部９は押圧部９１が第１位置決め凹部５に位置決めされたメカニカルスプライスのサイドカバーを押圧した状態でメカニカルスプライス載置部４にロックされる。
【００３６】
メカニカルスプライス載置部４の上面４ａの一端部には第２位置決め凹部１２が形成されている。第２位置決め凹部１２の平面形状は矩形である。第２位置決め凹部１２は第１位置決め凹部５と平行に延びている。
【００３７】
第２位置決め凹部１２の底面には４対のロック解除片（ロック解除部）１３，１４が形成されている。ロック解除片１３，１４は薄板状である。
【００３８】
ロック解除片１３は第２位置決め凹部１２によって位置決めされたメカニカルスプライスのベースとセンターカバーとの間に入り、ベースにロックされたセンターカバーのロックを解除する。
【００３９】
ロック解除片１４は第２位置決め凹部１２によって位置決めされたメカニカルスプライスのベースとサイドカバーとの間に入り、ベースにロックされたサイドカバーのロックを解除する。
【００４０】
メカニカルスプライス載置部４の上面４ａの他端部には計測溝１５が形成されている。計測溝１５は幅広部１５ａと幅狭部１５ｂとを有する。幅広部１５ａは光ファイバコードの被覆部を受け容れる。幅狭部１５ｂの長さは基準となる光ファイバの長さと同じである。光ファイバコードの被覆部を幅広部１５ａに、光ファイバコードの光ファイバ（被覆部が除去された部分）を幅狭部１５ｂにそれぞれ配置し、この光ファイバコードの被覆部の端面を幅広部１５ａの幅狭部１５ｂ側端面に突き当てた状態で光ファイバの長さを幅狭部１５ｂの長さと比較すると、光ファイバの長さが適切かどうかを判断できる。
【００４１】
次に、この実施形態のメカニカルスプライス補助工具を用いて第２のメカニカルスプライスに光ファイバコードを接続する作業について説明する。
【００４２】
まず、メカニカルスプライスのセンターカバー及びサイドカバーがそれぞれロック位置にある場合、メカニカルスプライスを第２位置決め凹部１２に配置し、メカニカルスプライスをベースの方へ押す。その結果、ロック片１３がセンターカバーとベースとの間に入るとともに、ロック片１４がサイドカバーとベースとの間に入り、センターカバー及びサイドカバーのロック状態が解除される。
【００４３】
次に、メカニカルスプライスを第２位置決め凹部１２から取り出して第１位置決め凹部５に挿入する。第１位置決め凹部５に挿入されたメカニカルスプライスは第１位置決め凹部５と第１、第２支持部５１，５２とによって支持され、メカニカルスプライス載置部５の高さ方向Ｈの位置と高さ方向Ｈと直交する２方向との位置が決まる。その結果、メカニカルスプライスの両端に位置する光ファイバ挿入口とガイド部６のＶ溝６１の底部とが一直線上に並ぶ。
【００４４】
その後、光ファイバコードの光ファイバをガイド部６のＶ溝６１の底部に押し付けながらメカニカルスプライスの方へ滑らせる。そうすれば、光ファイバはＶ溝６１の案内機能によって光ファイバ挿入口に挿入される。
【００４５】
このようにして２つの光ファイバコードの光ファイバをそれぞれ光ファイバ挿入口に挿入し、メカニカルスプライスの突合わせ部内で光ファイバの端面同士を突き合わせたら、サイドカバー押圧片９を閉じる方向へ回転させ、サイドカバー押圧片９の係合孔９３ａの周縁部を爪４５に引っ掛ける。その結果、サイドカバー押圧片９がメカニカルスプライス載置部４にロックされる。サイドカバー押圧片９を閉じるとき、サイドカバー押圧片９の押圧部９１はメカニカルスプライスのサイドカバーを押圧するので、サイドカバーは仮止め位置からロック位置へ移動する。サイドカバーは斜め下方へ移動するので、光ファイバを他方の光ファイバの方へ押し進めるとともに、光ファイバをベースに押し付ける。サイドカバーがロック位置にあるとき、その結果、光ファイバ同士は強い力で突き合わされた状態でサイドカバーとベースとによって保持され、突合わせ部の外にある光ファイバは撓む。２つのサイドカバー押圧片９の操作の仕方としては２つのサイドカバーを同時に回転させてメカニカルスプライス載置部４にロックさせてもよいし、２つのサイドカバーを個別に回転させてもよい。
【００４６】
次に、センターカバー押圧片８を閉じる方向へ回転させ、センターカバー押圧片８の係合孔８３ａの周縁部を爪４４に引っ掛ける。その結果、センターカバー押圧片８がメカニカルスプライス載置部４にロックされる。センターカバー押圧片８を閉じるとき、センターカバー押圧片８の押圧部８１はメカニカルスプライスのセンターカバーを押圧するので、センターカバーはメカニカルスプライス載置部４の高さ方向Ｈに沿って仮止め位置からロック位置へ移動する。このとき、ベースの係合部はセンターカバーに設けられた突合わせ部を押圧し、突合わせ部の内面が光ファイバの外面に密着するので、光ファイバ端面同士の突合わせ状態が維持される。
【００４７】
その後、センターカバー押圧片８の係合部８３を爪４４から外すとともに、サイドカバー押圧片９の係合部９３を爪４５から外して、センターカバー押圧片８及びサイドカバー押圧片９のメカニカルスプライス載置部４に対するロックを解除する。
【００４８】
最後に、第１位置決め凹部５からメカニカルスプライスを取り出す。メカニカルスプライス載置部４に凹部４１が形成されているので、作業者の指先がメカニカルスプライスの下部に達することができ、第１位置決め凹部５からメカニカルスプライスを容易に取り出せる。
【００４９】
以上の操作によって、光ファイバコードをメカニカルスプライスに接続する作業が完了する。
【００５０】
この実施形態のメカニカルスプライス用補助工具を用いれば、光ファイバをメカニカルスプライスの光ファイバ挿入口に容易に挿入することができる。
【００５１】
また、メカニカルスプライス用補助工具には、センターカバー押圧片８及びサイドカバー押圧片９が採用されているので、センターカバー押圧片８及びサイドカバー押圧片９によって確実かつ適切にメカニカルスプライスのセンターカバー及びサイドカバーを押圧することができる。
【００５２】
更に、メカニカルスプライス用補助工具には、第２位置決め部１２及びロック解除片１３，１４が採用されているので、センターカバーやサイドカバーがロックされていても、第２位置決め部１２及びロック解除片１３，１４によってセンターカバーやサイドカバーのロックを簡単に解除することができる。
【００５３】
また、メカニカルスプライス用補助工具には、計測溝１５が採用されているので、計測溝１５によって簡単に光ファイバの長さが適切かどうかを判断することができ、光ファイバの長さを迅速に調節することができる。
【００５４】
なお、センターカバー及びサイドカバーを指で操作することができるので、ロック解除片１３，１４を必ずメカニカルスプライス載置部４に設ける必要はない。
【００５５】
また、センターカバー及びサイドカバーのベースに対するロックは他の治具等によって解除できるので、第２位置決め部１２及びロック解除片１３，１４を必ずメカニカルスプライス載置部４に設ける必要はない。
【００５６】
なお、計測溝１５を必ずメカニカルスプライス載置部４に設ける必要はない。
【００５７】
また、この実施形態のメカニカルスプライス用補助工具は上述の第１、第２のメカニカルスプライス用の補助工具として好適であるが、適用対象はそれらのメカニカルスプライスに限定されるものではない。
【図面の簡単な説明】
【００５８】
【図１】図１はこの発明の一実施形態のメカニカルスプライス用補助工具のセンターカバー押圧片及びサイドカバー押圧片を開いた状態を示す斜視図である。
【図２】図２は図１に示すメカニカルスプライス用補助工具のセンターカバー押圧片及びサイドカバー押圧片を閉じた状態を示す斜視図である。
【図３】図３は図１に示すメカニカルスプライス用補助工具の平面図である。
【図４】図４は図３のIII−III線に沿う断面図である。
【図５】図５は図１に示すメカニカルスプライス用補助工具の側面図である。
【図６】図６は図３のVI−VI線に沿う端面図である。
【図７】図７は図３のVII−VII線に沿う断面図である。
【図８】図８は図６のＡ部の拡大図である。
【図９】図９は図７のＢ部の拡大図である。
【図１０】図１０は図３のＸ−Ｘ線に沿う端面図である。
【図１１】図１１は図３のＣ矢視図である。
【符号の説明】
【００５９】
４  メカニカルスプライス載置部
５  第１位置決め凹部（第１位置決め部）
６  ガイド部
８  センターカバー押圧片（押圧片）
９  サイドカバー押圧部（押圧片）
１２  第２位置決め凹部（第２位置決め部）
１３，１４  ロック解除片（ロック解除部）
【図１】
2010072479.tif 000003
【図２】
2010072479.tif 000004
【図３】
2010072479.tif 000005
【図４】
2010072479.tif 000006
【図５】
2010072479.tif 000007
【図６】
2010072479.tif 000008
【図７】
2010072479.tif 000009
【図８】
2010072479.tif 000010
【図９】
2010072479.tif 000011
【図１０】
2010072479.tif 000012
【図１１】
2010072479.tif 000013
【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
メカニカルスプライスが載置されるメカニカルスプライス載置部と、
前記メカニカルスプライス載置部の上面に設けられ、前記メカニカルスプライスを位置決めする第１位置決め部と、
前記メカニカルスプライス載置部の上面に設けられ、前記第１位置決め部に位置決めされた前記メカニカルスプライスの両端に位置する光ファイバ挿入口に光ファイバコードの光ファイバをガイドするガイド部とを備え、
前記メカニカルスプライスが、２つの前記光ファイバコードが配置されるベースと、前記ベースの高さ方向に沿って移動可能に前記ベースの中央部に装着されたセンターカバーと、前記ベースにロックされるロック位置と前記ベースに仮止めされる仮止め位置との間で移動可能に前記ベースの両端部に装着され、前記ロック位置に移動したとき前記ベースに前記光ファイバコードを押し付ける２つのサイドカバーとを有し、
前記第１位置決め部に位置決めされた前記メカニカルスプライスの前記センターカバー及び前記２つのサイドカバーをそれぞれ個別に前記ベース部に押圧可能な３つの押圧片が、前記メカニカルスプライス載置部に設けられている
ことを特徴とするメカニカルスプライス用補助工具。
【請求項２】
前記第１位置決め部が凹部であることを特徴とする請求項１項記載のメカニカルスプライス用補助工具。
【請求項３】
前記ガイド部が、前記第１位置決め部に位置決めされた前記メカニカルスプライスの両端に位置する前記光ファイバ挿入口へ通じるＶ溝を有することを特徴とする請求項１又は２項記載のメカニカルスプライス用補助工具。
【手続補正２】
【補正対象書類名】明細書
【補正対象項目名】００１４
【補正方法】変更
【補正の内容】
【００１４】
上述の課題を解決するため請求項１記載の発明のメカニカルスプライス用補助工具は、  メカニカルスプライスが載置されるメカニカルスプライス載置部と、前記メカニカルスプライス載置部の上面に設けられ、前記メカニカルスプライスを位置決めする第１位置決め部と、前記メカニカルスプライス載置部の上面に設けられ、前記第１位置決め部に位置決めされた前記メカニカルスプライスの両端に位置する光ファイバ挿入口に光ファイバコードの光ファイバをガイドするガイド部とを備え、前記メカニカルスプライスが、２つの前記光ファイバコードが配置されるベースと、前記ベースの高さ方向に沿って移動可能に前記ベースの中央部に装着されたセンターカバーと、前記ベースにロックされるロック位置と前記ベースに仮止めされる仮止め位置との間で移動可能に前記ベースの両端部に装着され、前記ロック位置に移動したとき前記ベースに前記光ファイバコードを押し付ける２つのサイドカバーとを有し、前記第１位置決め部に位置決めされた前記メカニカルスプライスの前記センターカバー及び前記２つのサイドカバーをそれぞれ個別に前記ベース部に押圧可能な３つの押圧片が、前記メカニカルスプライス載置部に設けられていることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
請求項２記載の発明は、請求項１記載のメカニカルスプライス用補助工具において、前記第１位置決め部が凹部であることを特徴とする。
【手続補正６】
【補正対象書類名】明細書
【補正対象項目名】００１９
【補正方法】変更
【補正の内容】
【００１９】
請求項３記載の発明は、請求項１又は２記載のメカニカルスプライス用補助工具において、前記ガイド部が、前記第１位置決め部に位置決めされた前記メカニカルスプライスの両端に位置する前記光ファイバ挿入口へ通じるＶ溝を有することを特徴とする。
【手続補正７】
【補正対象書類名】明細書
【補正対象項目名】００２０
【補正方法】削除
【補正の内容】
【手続補正８】
【補正対象書類名】図面
【補正対象項目名】図１
【補正方法】変更
【補正の内容】
【図１】
2010072479.tif 000014
【手続補正９】
【補正対象書類名】図面
【補正対象項目名】図２
【補正方法】変更
【補正の内容】
【図２】
2010072479.tif 000015